(57)【要約】【課題】開閉カバー部の開放時、開閉カバー部に設けたカッター刃を覆うシャッター部材を設けたプリンタの切断装置を提供すること。【解決手段】帯状の印字媒体７側に刃先１５ａを向けてプリンタ本体に取り付けた第１のカッター刃１５と、プリンタ本体に対し開閉自在な開閉カバー部と、開閉カバー部に取付けるとともに、第１のカッター刃の刃先に対向して刃先１６ａを配して設けた第２のカッター刃１６と、開閉カバー部の開放時、第２のカッター刃を覆うとともに、閉成時第２のカッター刃を露出させるシャッター部材１７と、を有し、第１および第２のカッター刃１５、１６の間に繰り出された帯状の印字媒体を、第１および第２のカッター刃を噛み合わせることにより切断する。【選択図】図３
2008119838.tif 000002
【特許請求の範囲】
【請求項１】
プリンタ本体の媒体供給部より発行口側に繰り出される帯状の印字媒体側に刃先を向けてプリンタ本体に取り付けた第１のカッター刃と、
前記プリンタ本体に対し開閉自在な開閉カバー部と、
前記開閉カバー部に取付けるとともに、前記第１のカッター刃の刃先に対向して刃先を配して設けた第２のカッター刃と、
前記開閉カバー部の開放時、前記第２のカッター刃を覆うとともに、閉成時第２のカッター刃を露出させるシャッター部材と、を有し、
前記第１および第２のカッター刃の間に繰り出された帯状の印字媒体を、前記第１および第２のカッター刃を噛み合わせることにより切断することを特徴とするプリンタの切断装置。
【請求項２】
前記第１のカッター刃は、前記プリンタ本体に取り付けた第１の支持フレームに設けるとともに、進退動自在とした可動刃であることを特徴とする請求項１記載のプリンタの切断装置。
【請求項３】
前記第２のカッター刃は、前記開閉カバー部に固定された第２の支持フレームに設けた固定刃であることを特徴とする請求項１記載のプリンタの切断装置。
【請求項４】
前記シャッター部材は、前記第２のカッター刃の刃先に対し進退動自在に設けられ、前記開閉カバー部の閉成時、前記第１の支持フレームに当接することにより刃先から根元側に退動して前記第２のカッター刃の刃先を露出させるとともに、開閉カバー部の開放時、前記第１の支持フレームより離反することにより前記第２のカッター刃の刃先に向けて進出して刃先を覆うことを特徴とする請求項１ないし３記載のプリンタの切断装置。
【請求項５】
前記シャッター部材は、前記第２のカッター刃の刃先に対し回動自在に設けられ、前記開閉カバー部の閉成時、前記第１の支持フレームに当接することにより刃先から離反する方向に回動して前記第２のカッター刃の刃先を露出させるとともに、開閉カバー部の開放時、前記第１の支持フレームより離反することにより前記第２のカッター刃の刃先に向けて回動して刃先を覆うことを特徴とする請求項１ないい３記載のプリンタの切断装置。
【発明の詳細な説明】
【技術分野】
【０００１】
本発明は、特に、ギロチン式の切断機構に備えられたカッター刃を覆うシャッター部材を設けたプリンタの切断装置に関する。
【背景技術】
【０００２】
従来、例えば、ギロチン式カッタの可動刃が筐体本体（プリンタ本体）に固定された可動刃支持部材に取り付けられ、固定刃が筐体本体に対して可動な筐体蓋部（開閉カバー部）に取り付けられた（切断装置付の）プリンタが知られている（特許文献１参照）。
特許文献１のプリンタによれば、筐体蓋部（開閉カバー部）側に固定刃を取り付け、一方、筐体本体（プリンタ本体）側に可動刃を設けて、前記固定刃および可動刃を分離可能に設けるとともに、筐体蓋部を開放して固定刃と可動刃との間を大きく開けることにより、頻繁に行われるロール紙（印字媒体）の交換を円滑に行うようにしている。
しかしながら、前記プリンタにおいては、ロール紙（印字媒体）の交換や清掃などにより筐体蓋部（開閉カバー部）を開放すると、筐体蓋部に取り付けられた固定刃が露出するため、接触すると怪我をする可能性があるという問題があった。
【特許文献１】特開２００３−３０５９０７号公報
【発明の開示】
【発明が解決しようとする課題】
【０００３】
本発明は、開閉カバー部の開放時、開閉カバー部に設けたカッター刃を覆うシャッター部材を設けたプリンタの切断装置を提供することを目的とする。
【課題を解決するための手段】
【０００４】
本発明に係るプリンタの切断装置は、プリンタ本体の媒体供給部より発行口側に繰り出される帯状の印字媒体側に刃先を向けてプリンタ本体に取り付けた第１のカッター刃と、前記プリンタ本体に対し開閉自在な開閉カバー部と、前記開閉カバー部に取付けるとともに、前記第１のカッター刃の刃先に対向して刃先を配して設けた第２のカッター刃と、前記開閉カバー部の開放時、前記第２のカッター刃を覆うとともに、閉成時第２のカッター刃を露出させるシャッター部材と、を有し、前記第１および第２のカッター刃の間に繰り出された帯状の印字媒体を、前記第１および第２のカッター刃を噛み合わせることにより切断することを特徴とする。
また、第１のカッター刃を、プリンタ本体に取り付けた第１の支持フレームに設けるとともに、進退動自在とした可動刃とすることができる。
また、第２のカッター刃を、開閉カバー部に固定された第２の支持フレームに設けた固定刃とすることができる。
また、シャッター部材を、第２のカッター刃の刃先に対し進退動自在に設け、開閉カバー部の閉成時、第１の支持フレームに当接することにより刃先から根元側に退動して第２のカッター刃の刃先を露出させるとともに、開閉カバー部の開放時、第１の支持フレームより離反することにより第２のカッター刃の刃先に向けて進出して刃先を覆うようにできる。
さらに、シャッター部材を、第２のカッター刃の刃先に対し回動自在に設け、開閉カバー部の閉成時、第１の支持フレームに当接することにより刃先から離反する方向に回動して第２のカッター刃の刃先を露出させるとともに、開閉カバー部の開放時、第１の支持フレームより離反することにより第２のカッター刃の刃先に向けて回動して刃先を覆うようにできる。
【発明の効果】
【０００５】
本発明のプリンタの切断装置は、開閉カバー部の開放時、第２のカッター刃を覆うとともに、閉成時第２のカッター刃を露出させるシャッター部材を設けるようにし、印字媒体の交換時や清掃時に開閉カバー部を大きく開放したとしても第２のカッター刃がシャッター部材により覆われるようにしたため、作業性を損なわないようにした上で、カッター刃に接触する危険がないという効果がある。
【発明を実施するための最良の形態】
【０００６】
本発明の実施の形態によるプリンタの切断装置について、図１ないし図４に基づき説明する。
図１は、本発明の切断装置が搭載された「プリンタ」としてのラベルプリンタ１の一実施の形態の主に、プリンタ本体２部分を示す概略分解斜視図であり、後述する「開閉カバー部」を省略して「切断装置」部分が見え易いようにしてある。また、図２は、後述する「開閉カバー部」を含むラベルプリンタ１の概略側面説明図である。
同図に示すように、ラベルプリンタ１は、主に、媒体供給部２と、印字部３と、切断装置４を備えたプリンタ本体５と、プリンタ本体５に対しヒンジ６を介して開閉自在に設けた開閉カバー部１４とを備える。
【０００７】
媒体供給部２には、ロール状に巻回された印字媒体７が回転可能に装着され、印字媒体７は印字部３、および切断装置４を経て発行口８へと繰出されるようになっている。また、媒体供給部２と印字部３との間には用紙センサ９が設けられており、この用紙センサ９は、印字媒体７の印字面とは反対の面(裏面)に施されたマーク（図示せず）に向けて光を照射する発光部９ａ、および裏面にて反射した光を受光する受光部９ｂとから構成され、受光した光量の変化に基づき、裏面のマーク（図示せず）を検出するようになっている。そして、図示省略の「制御部」により、その検出結果に基づいた印字位置や印字内容等の印字情報が印字部３に出力され、また印字媒体７を切断する切断位置情報が切断装置４に出力されるようになっている。
【０００８】
印字部３には、対向配置されたプラテンローラ１０とサーマルヘッド１１とが設けられており、サーマルヘッド１１は、プラテンローラ１０に対し、接離自在に設けられている。さらに、サーマルヘッド１１を介して印字媒体７に所望の情報を印字できるようになっている。また、プラテンローラ１０には、タイミングベルト１２を介しステッピングモータ１３からの駆動力が伝達されるようになっている。
【０００９】
ここで、図３および図４を加え、図１ないし図４を参照して切断装置４の詳細を説明する。図３および図４は、切断装置４の正面図および側面図である。
切断装置４は、主に、「第１のカッター刃」としての下刃１５と、「第２のカッター刃」としての上刃１６と、シャッター部材１７を備える。
下刃１５は、プリンタ本体５側に固定された第１の支持フレーム１８(図３および図４にて想像線で図示)を介し、上部側に刃先１５ａを向けた状態で進退動自在に設けられた「可動刃」であり、かつ、前記第１の支持フレーム１８の上端部位には段差部２０が形成されている。
上刃１６は、刃先１６ａを前記下刃１５側に向け第２の支持フレーム１９(図３および図４にて想像線で図示)を介して開閉カバー部１４側に固定された「固定刃」であり、したがって、ヒンジ６を回動支点として開閉カバー部１４を開放方向（図２における矢示Ｐ方向）に引き上げると、開閉カバー部１４に連動して上刃１６は下刃１５から離反し分離されて開放される。
シャッター部材１７は、上刃１６の刃先１６ａを覆うシャッター部材本体部１７ａと、このシャッター部材本体１７ａの幅方向における左右（図３および図４における左右）両端に設けられ、刃先１６ａ方向に突出した係合部１７ｂとを備えて上刃１６の前面に配されており、図示省略のバネなどの弾性部材によりシャッター部材本体部１７ａが常時、刃先１６ａを覆う方向に付勢されている。そして、前記下刃１５を進退動自在に支持する第１の支持フレーム１８の段差部２０に係合部１７ｂが当接すると、前記上刃１６の前面を覆っているシャッター部材１７は上方へ押し上げられ、シャッター部材本体部１７ａは弾性部材（図示省略）による刃先１６ａ方向への付勢力に抗して上刃１６の根元側へと後退するようになっている。
【００１０】
次に、図１ないし図４を参照して、切断装置４の使用状態を説明する。
印字媒体７を装着するために開閉カバー部１４を、ヒンジ６を回動支点として開放方向（矢示Ｐ方向）に引き上げると、開閉カバー部１４に取り付けられている上刃１６が下刃１５より離反し分離される。開閉カバー部１４の閉成時（図２および図４参照）には、係合部１７ｂと第１の支持フレーム１８の段差部２０との係合により上刃１６の根元側にシャッター部材１７が後退して刃先１６ａを露出していたが（図４参照）、開閉カバー部１４の引き上げにより弾性部材（図示省略）の付勢力でシャッター部材１７は刃先１６ａ側に進出して上刃１６の前面を覆う（図３参照）。これにより、開閉カバー部１４が開放されたとしても、シャッター部材本体部１７ａが刃先１６ａを覆うため、上刃１６により怪我をすることがないものである。
媒体供給部２に印字媒体７を装着し、下刃１５の上方に引き出し、次いで、開閉カバー部１４を閉じる。開閉カバー部１４を閉鎖時、シャッター部材１７は上刃１６の刃先１６ａの前面を覆ったままの状態で下刃１５側へ回動され、シャッター部材１７の係合部１７ｂが第１の支持フレーム１８の段差部２０に当接して位置決めされるとともに、さらに、閉鎖方向に開閉カバー部１４を閉じると、弾性部材（図示省略）の付勢力により上刃１６を覆っていたシャッター部材１７は、付勢力に抗して上方に押し上げられ、刃先１６ａを印字媒体７に向けて露出し、下刃１５に対向した位置に上刃１６を位置決するものである。
【００１１】
次に、図５および図６を用いて、本発明の切断装置の他の実施の形態につき説明する。
なお、以下において、先の実施の形態と同様の部分は同一符号を付すに止め、詳説を省略する。
図５は、開閉カバー部１４の開放時の下刃１５および下刃１６の状態を示す側面図、図６は、開閉カバー部１４の閉成時の下刃１５および下刃１６の状態を示す側面図である。
切断装置３０は、主に、下刃１５と、上刃１６と、シャッター部材３１とを備えており、下刃１８は、プリンタ本体５側に固定された第１の支持フレーム１８を介し、上部側に刃先１５ａを向けた状態で進退動自在に設けられている。また、第１の支持フレーム１８の適宜位置には、後述するシャッター部材３１の「開放用の係合部」としての係合ピン３３が形成されている。
上刃１６は、刃先１６ａを前記下刃１５側に向け第２の支持フレーム１９を介して開閉カバー部１４側に固定されており、ヒンジ６を回動支点として開閉カバー部１４を開放方向（矢示Ｐ方向）に引き上げると、開閉カバー部１４に連動して上刃１６は下刃１５から離反し分離されて開放される。
シャッター部材３１は、上刃１６の前面を覆うシャッター部材本体部３１ａと、このシャッター部材本体部３１ａより裏面側（図５および図６における右側）に突出して幅方向の左右に形成された一対のアーム部３１ｂとを備えており、アーム部３１ｂの係合孔３２は、開閉カバー部材１４に設けられた図示省略の係合軸に回動自在に軸支されている。
上記構成の切断装置３０は、ヒンジ６を回動支点として開閉カバー部１４を開放方向（矢示Ｐ方向）に引き上げるのに伴い、開閉カバー部１４の係合軸（図示省略）に係合孔３２を介して取り付けられたシャッター部材３１が自重で上刃１６側に回動され、上刃１６に接触して刃先１６ａの前面をシャッター部材本体部３１ａにて覆う。したがって、開閉カバー部１４を開放しての印字媒体７の装着作業時、シャッター部材３１が刃先１６ａを覆っていることにより、怪我をすることがないものである(図５参照)。
次いで、開閉カバー部１４を閉じる。開閉カバー部１４の閉鎖時、上刃１６および上刃１６の前面を覆っているシャッター部材３１は共に下刃１５側へ回動されるが、プリンタ本体５の適宜位置に設けられた前記開閉用の係合ピン３３にアーム部３１ｂが当接することにより、係合孔３２を回動基点として上刃１６よりシャッター部材３１が離反する方向に回動して刃先１６ａを露出し、印字媒体７の搬送および切断に邪魔とならない位置に回動して位置決めされる（図６参照）。
開閉カバー部１４の回動に連動して回動する上刃１６およびシャッター部材３１の回動軌跡の適宜位置に設けた係合ピン３３に、シャッター部材３１のアーム部３１ｂが当接することによりシャッター部材３１を上刃１６の刃先１６ａより離反方向に回動するので、弾性部材(図示省略)を設けて刃先１６ａと根元の間においてシャッター部材１７を進退動自在とした先の実施例に比べ、簡単な構成で刃先１６ａの被覆および露出ができるものである。
その他の構成、作用、効果については、先の実施の形態とほぼ同様につき詳説を省略する。
【００１２】
なお、上記実施の形態の構成及び動作は例であって、本発明の趣旨を逸脱しない範囲で適宜変更することができることは言うまでもない。
【００１３】
例えば、説明の都合上、上刃１６を「固定刃」とした例で説明したがこれに限定されないことは勿論であり、上刃を「可動刃」としてこれをシャッター部材で覆うようにしても構わない。
【図面の簡単な説明】
【００１４】
【図１】本発明の一実施の形態に係るプリンタのプリンタ本体部分を示す概略分解斜視図である。
【図２】同、プリンタの概略側面説明図である。
【図３】同、下刃および上刃が分離された状態を示す切断装置の正面図および側面図である。
【図４】同、下刃および上刃が対向した位置に位置決めされた状態を示す正面図および側面図である。
【図５】同、他の実施の形態の、下刃および上刃が分離された状態を示す切断装置の側面図である。
【図６】同、下刃および上刃が対向した位置に位置決めされた状態を示す側面図である。
【符号の説明】
【００１５】
１    ラベルプリンタ（プリンタ）
２    媒体供給部
３    印字部
４    切断装置
５    プリンタ本体
６    ヒンジ
７    印字媒体
８    発行口
９    用紙センサ
１０  プラテンローラ
１１  サーマルヘッド
１２  タイミングベルト
１３  ステッピングモータ
１４  開閉カバー部
１５  第１のカッター刃（下刃；可動刃）
１５ａ  刃先
１６  第２のカッター刃（上刃；固定刃）
１６ａ  刃先
１７  シャッター部材
１７ａ  シャッター部材本体部
１７ｂ  係合部
１８  第１の支持フレーム
１９  第２の支持フレーム
２０  段差部
３０  切断装置(他の実施の形態)
３１  シャッター部材
３１ａ  シャッター部材本体部
３１ｂ  アーム部
３２  係合孔
３３  係合部（係合ピン）
【図１】
2008119838.tif 000003
【図２】
2008119838.tif 000004
【図３】
2008119838.tif 000005
【図４】
2008119838.tif 000006
【図５】
2008119838.tif 000007
【図６】
2008119838.tif 000008